(57)【要約】  互いに結合された第１ケーシング部１１と第２ケーシング部１２とを有し、第１ケーシング部１１内に渦巻室Ｍが設けられており、かつ、第２ケーシング部１２内に羽根車設置スペースＮが設けられている渦巻ケーシング１と、回転軸３の周りを回転可能に、羽根車設置スペースＮ内に設けられている羽根車２と、入口４１が第２ケーシング部１２内に連通し、出口４２が第１ケーシング部１１内に連通する羽根なしディフューザ４と、を有する。羽根なしディフューザ４の幅ｂの周方向分布は、非軸対称である。
2012128277.tif 000002
【特許請求の範囲】
【請求項１】
互いに結合された第１ケーシング部と第２ケーシング部とを含み、第１ケーシング部内に渦巻室が設けられており、かつ、第２ケーシング部内に羽根車設置スペースが設けられている渦巻ケーシングと、
回転軸の周りを回転可能に、羽根車設置スペース内に設けられている羽根車と、
入口が第２ケーシング部内に連通し、出口が第１ケーシング部内に連通する羽根なしディフューザと、を有し、
羽根なしディフューザの幅の周方向分布は、非軸対称である、ことを特徴とする遠心圧縮機。
【請求項２】
前記羽根なしディフューザの入口の気流角度αがその周方向平均値より小さい周方向位置における前記羽根なしディフューザの幅は、気流角度αがその周方向平均値以上である他の周方向位置における前記羽根なしディフューザの幅より小さく、
前記羽根なしディフューザの入口の気流角度αは、前記羽根なしディフューザの入口の気流速度を回転軸に垂直な平面に投影した投影速度Ｖと、該当する周方向位置における周方向との間の夾角である、ことを特徴とする請求項１記載の遠心圧縮機。
【請求項３】
同一の周方向位置では、前記羽根なしディフューザの幅は径方向において均一である、ことを特徴とする請求項２記載の遠心圧縮機。
【請求項４】
第１ケーシング部と第２ケーシング部との間には、環状キャップ部と環状ディスク部が設けられ、かつ、前記羽根なしディフューザは、前記環状キャップ部と環状ディスク部との間に区画された流路として形成されている、ことを特徴とする請求項１記載の遠心圧縮機。
【請求項５】
第１ケーシング部と第２ケーシング部と前記環状キャップ部とは一体形成されている、ことを特徴とする請求項４記載の遠心圧縮機。
【請求項６】
請求項１に記載の遠心圧縮機の形成方法であって、
前記遠心圧縮機は、羽根なしディフューザの幅が周方向において均一である対称遠心圧縮機の原型を改良したものであり、
（１）周方向の初期位置を設定し、
（２）数値シミュレーション又は実験によって、対称遠心圧縮機の原型の羽根なしディフューザの入口の気流角度αｙの周方向における分布を取得し、かつ、当該羽根なしディフューザの入口の気流角度αｙの周方向平均値αｙａｖｇを算出するとともに、当該羽根なしディフューザの幅ｂｙを取得し、
（３）対称遠心圧縮機の原型の羽根なしディフューザの入口の気流角度αｙがその周方向平均値αｙａｖｇより小さい周方向位置において、羽根なしディフューザの前記幅ｂｙを減少させることにより該周方向位置における第１幅ｂ１を取得し、
さらに、対称遠心圧縮機の原型の羽根なしディフューザの入口の気流角度αｙがその周方向平均値αｙａｖｇより大きい周方向位置において、羽根なしディフューザの前記幅ｂｙを増大させることにより該周方向位置における第１幅ｂ１を取得し、
同時に、第１幅ｂ１の周方向平均値ｂ１ｙが、対称遠心圧縮機の原型の羽根なしディフューザの幅ｂｙと同じ値、または、当該幅ｂｙの近傍の値になるようにし、
これにより、第１遠心圧縮機の第１羽根なしディフューザの第１幅ｂ１の周方向における分布を取得し、
（４）ステップ（３）の第１幅ｂ１の結果に基づいて、数値シミュレーション又は実験によって、第１遠心圧縮機の第１羽根なしディフューザの入口の気流角度α１の周方向における分布を得て、かつ、第１羽根なしディフューザの入口の気流角度α１の周方向平均値α１ａｖｇを算出し、
（５）ステップ（４）の第１羽根なしディフューザの入口の気流角度α１の周方向における分布に基づいて、第１羽根なしディフューザの入口の気流角度α１がその周方向平均値α１ａｖｇより小さい周方向位置において、第１羽根なしディフューザの第１幅ｂ１を減少させることにより該周方向位置における第２幅ｂ２を取得し、
さらに、第１羽根なしディフューザの入口の気流角度α１がその周方向平均値α１ａｖｇより大きい周方向位置において、第１羽根なしディフューザの第１幅ｂ１を増大させることにより該周方向位置における第２幅ｂ２を取得し、
同時に、第２幅ｂ２の周方向平均値ｂ２ｙが、対称遠心圧縮機の原型の羽根なしディフューザの幅ｂｙと同じ値、または、当該幅ｂｙの近傍の値になるようにし、
これにより、第２遠心圧縮機の羽根なしディフューザの第２幅ｂ２の周方向における分布を取得し、
（６）羽根なしディフューザの入口の気流角度αの周方向における最小値αｍｉｎが臨界気流角より大きくなるディフューザの幅ｂの周方向分布が得られるまで、ステップ（４）とステップ（５）を繰り返し、
（７）ステップ（６）で得られたディフューザの幅ｂの周方向分布に基づいて遠心圧縮機を得る、ことを特徴とする遠心圧縮機の形成方法。
【請求項７】
前記羽根なしディフューザの入口の気流角度αは、前記羽根なしディフューザの入口の気流速度を回転軸に垂直な平面に投影した投影速度Ｖと、該当する周方向位置における周方向との間の夾角である、ことを特徴とする請求項６記載の形成方法。  
【発明の詳細な説明】
【技術分野】
【０００１】
本発明は、羽根車を有する流体機械の技術分野、特に、羽根なしディフューザを有する遠心圧縮機に関する。
【背景技術】
【０００２】
遠心圧縮機等の羽根車を有する圧縮機は、往復型圧縮機に比べて効率が高く、寸法や重量が小さく、運転が安定している等の長所を有するが、流量に関する稼働条件の範囲が限られている。遠心圧縮機において、低流量の稼働条件では、内部の流れ場において、大きな流体剥離などの現象が生じ、作動が不安定になる現象が現れ、失速ひいてはサージを引き起こし、圧縮機の効率と圧力比の急激な低下を招き、寿命が短縮され、ひいては短期で損傷してしまう。【０００３】
遠心圧縮機の羽根なしディフューザの流路の両側は、固定された環状キャップ部と環状ディスク部が用いられ、その形状は、設計点の稼働条件に応じて確定する。これにより、設計点において最も優れた性能が得られ、羽根車の出口の流体の運動エネルギーを効果的に静圧エネルギーに変換できるようにする。従来の羽根なしディフューザの構成はいずれも軸対称である。すなわち、羽根なしディフューザの幅は、周方向において均一に分布する。低流量の場合、羽根なしディフューザ内には大きな流体剥離が発生し、このような失速現象は流動損失の増加をもたらしてディフューザの効率が低下し、流量が更に減少する場合、流体の径方向の運動エネルギーが足りず、逆圧勾配の作用で流体が逆流し、圧縮機にサージ現象が発生する。
なお、羽根なしディフューザの「羽根なし」とは、流路であるディフューザに羽根（翼）が設けられていないことを意味する。【０００４】
羽根なしディフューザの失速の抑制に関する方法において、流量が少ない場合、流体の径方向の運動エネルギーを増大し、かつ逆流を減少するように、ディフューザの幅を減少させることが従来技術として知られている。
【発明の概要】
【発明が解決しようとする課題】
【０００５】
しかしながら、遠心圧縮機の渦巻ケーシングは非軸対称性を有するため、羽根なしディフューザの内部の周方向の流動パラメータが非軸対称性を呈する。すなわち、羽根なしディフューザの内部の流れ場が非軸対称となる。従って、ディフューザの幅を減少させて、流体の径方向の運動エネルギーを増大して逆流を減少する従来の方法には限界があり、羽根なしディフューザの内部の流れ場の非軸対称性の特性が考慮されないため、羽根なしディフューザの失速を最大限に抑制することができないという課題がある。【０００６】
本発明は、少なくとも従来技術に存在する技術課題の１つを解決することを目的とする。【０００７】
そのために、本発明の目的は、遠心圧縮機内部の流体の流れ場の非対称性を低下でき、遠心圧縮機の安定した作動範囲を拡大する遠心圧縮機を提供することにある。【０００８】
本発明の別の目的は、上記遠心圧縮機の形成方法を提供することにある。
【課題を解決するための手段】
【０００９】
上記課題を解決するために、本発明によると、互いに結合された第１ケーシング部と第２ケーシング部とを含み、第１ケーシング部内に渦巻室が設けられており、かつ、第２ケーシング部内に羽根車設置スペースが設けられている渦巻ケーシングと、
回転軸の周りを回転可能に、羽根車設置スペース内に設けられている羽根車と、
入口が第２ケーシング部内に連通し、出口が第１ケーシング部内に連通する羽根なしディフューザと、を有し、
羽根なしディフューザの幅の周方向分布は、非軸対称である、ことを特徴とする遠心圧縮機が提供される。【００１０】
本発明による遠心圧縮機では、羽根なしディフューザの幅の周方向分布は、非軸対称であるので、遠心圧縮機内部の流体の流れ場の非軸対称性を低下でき、遠心圧縮機の羽根なしディフューザの失速を抑制することによって、遠心圧縮機の安定した作動範囲を拡大することができる。【００１１】
本発明の好ましい実施形態によると、前記羽根なしディフューザの入口の気流角度αがその周方向平均値より小さい周方向位置における前記羽根なしディフューザの幅は、気流角度αがその周方向平均値以上である他の周方向位置における前記羽根なしディフューザの幅より小さく、
前記羽根なしディフューザの入口の気流角度αは、前記羽根なしディフューザの入口の気流速度を回転軸に垂直な平面に投影した投影速度Ｖと、該当する周方向位置における周方向との間の夾角である。【００１２】
好ましくは、同一の周方向位置において前記羽根なしディフューザの幅は径方向に沿って均一である。【００１３】
本発明の好ましい実施形態によると、第１ケーシング部と第２ケーシング部との間には、環状キャップ部と環状ディスク部が設けられ、かつ、前記羽根なしディフューザは、前記環状キャップ部と環状ディスク部との間に区画された流路として形成されている。【００１４】
好ましくは、前記第１ケーシング部と第２ケーシング部と前記環状キャップ部とは一体形成されている。【００１５】
本発明の好ましい実施形態による遠心圧縮機では、周方向に非対称の幅の羽根なしディフューザ構造の作用で、本来の羽根なしディフューザの入口の気流角度αの周方向における非軸対称性が弱くなる。これにより、周方向において最小の気流角度αを効果的に増大し、流量が少ない場合の羽根なしディフューザの失速を抑制できるとともに、遠心圧縮機の安定した作動範囲を拡大できる。【００１６】
本発明の遠心圧縮機の形成方法は、本発明の遠心圧縮機が得られるように、羽根なしディフューザの幅が周方向に均一である対称遠心圧縮機の原型を改良する。【００１７】
すなわち、本発明によると、上述の遠心圧縮機の形成方法であって、
（１）周方向の初期位置を設定し、
（２）数値シミュレーション又は実験によって、対称遠心圧縮機の原型の羽根なしディフューザの入口の気流角度αｙの周方向における分布を取得し、かつ、当該羽根なしディフューザの入口の気流角度αｙの周方向平均値αｙａｖｇを算出するとともに、当該羽根なしディフューザの幅ｂｙを取得し、
（３）対称遠心圧縮機の原型の羽根なしディフューザの入口の気流角度αｙがその周方向平均値αｙａｖｇより小さい周方向位置において、羽根なしディフューザの前記幅ｂｙを減少させることにより該周方向位置における第１幅ｂ１を取得し、
さらに、対称遠心圧縮機の原型の羽根なしディフューザの入口の気流角度αｙがその周方向平均値αｙａｖｇより大きい周方向位置において、羽根なしディフューザの前記幅ｂｙを増大させることにより該周方向位置における第１幅ｂ１を取得し、
同時に、第１幅ｂ１の周方向平均値ｂ１ｙが、対称遠心圧縮機の原型の羽根なしディフューザの幅ｂｙと同じ値、または、当該幅ｂｙの近傍の値になるようにし、
これにより、第１遠心圧縮機の第１羽根なしディフューザの第１幅ｂ１の周方向における分布を取得し、
（４）ステップ（３）の第１幅ｂ１の結果に基づいて、数値シミュレーション又は実験によって、第１遠心圧縮機の第１羽根なしディフューザの入口の気流角度α１の周方向における分布を得て、かつ、第１羽根なしディフューザの入口の気流角度α１の周方向平均値α１ａｖｇを算出し、
（５）ステップ（４）の第１羽根なしディフューザの入口の気流角度α１の周方向における分布に基づいて、第１羽根なしディフューザの入口の気流角度α１がその周方向平均値α１ａｖｇより小さい周方向位置において、第１羽根なしディフューザの第１幅ｂ１を減少させることにより該周方向位置における第２幅ｂ２を取得し、
さらに、第１羽根なしディフューザの入口の気流角度α１がその周方向平均値α１ａｖｇより大きい周方向位置において、第１羽根なしディフューザの第１幅ｂ１を増大させることにより該周方向位置における第２幅ｂ２を取得し、
同時に、第２幅ｂ２の周方向平均値ｂ２ｙが、対称遠心圧縮機の原型の羽根なしディフューザの幅ｂｙと同じ値、または、当該幅ｂｙの近傍の値になるようにし、
これにより、第２遠心圧縮機の羽根なしディフューザの第２幅ｂ２の周方向における分布を取得し、
（６）羽根なしディフューザの入口の気流角度αの周方向における最小値αｍｉｎが臨界気流角より大きくなるディフューザの幅ｂの周方向分布が得られるまで、ステップ（４）とステップ（５）を繰り返し、
（７）ステップ（６）で得られたディフューザの幅ｂの周方向分布に基づいて遠心圧縮機を得る、ことを特徴とする遠心圧縮機の形成方法が提供される。【００１８】
ここで、前記羽根なしディフューザの入口の気流角度αは、前記羽根なしディフューザの入口の気流速度を回転軸に垂直な平面に投影した投影速度Ｖと、該当する周方向位置における周方向との間の夾角である。
【発明の効果】
【００１９】
上述した本発明によると、羽根なしディフューザの幅の周方向分布は、非軸対称であるので、遠心圧縮機内部の流体の流れ場の非軸対称性を低下でき、遠心圧縮機の羽根なしディフューザの失速を抑制することによって、遠心圧縮機の安定した作動範囲を拡大することができる。
【図面の簡単な説明】
【００２０】
以下、図面を参照して本発明の実施形態を説明して、本発明の付加的な態様と利点を明らかにする。
【図１】本発明の実施形態による遠心圧縮機の断面図である。
【図２】遠心圧縮機をその軸方向から見た概略図であり、本発明の実施形態による遠心圧縮機の周方向を定義するための図である。
【図３】遠心圧縮機をその軸方向から見た部分概略図であり、羽根なしディフューザの入口における気流角度αを定義するための図である。
【図４】本発明の実施形態による遠心圧縮機の基礎となる対称遠心圧縮機の原型の羽根なしディフューザの入口における気流角度αｙの周方向分布図である。
【図５】本発明の実施形態による遠心圧縮機の羽根なしディフューザの幅ｂの周方向分布図である。
【図６】本発明の実施形態による遠心圧縮機とそれに対応する従来の対称遠心圧縮機との性能比較を示す。
【発明を実施するための形態】
【００２１】
以下、本発明の実施形態について詳細に説明する。実施形態の例示を図面に示したが、各図において、同一又は類似の符号で、同一又は類似の部分、或いは、同一又は類似の機能を有する部分を示した。以下の図面を参照して説明する実施形態は例示的であり、単に本発明を解釈するためのものであって、本発明に対する制限と理解してはならない。
【００２２】
本発明の説明において、用語「内側」、「外側」、「縦方向」、「横方向」、「上」、「下」、「頂部」、「底部」等の示す方位或いは位置関係は、図面に示す方位或いは位置関係に基づくものであって、単に本発明を説明しやすくするためのものであり、本発明に特定の方位構造と動作を必ずしも要求するものではないので、これらの用語を本発明に対する制限と理解してはならない。
【００２３】
以下、図１〜図３を参照して本発明の実施形態による遠心圧縮機を説明する。ここで、以下の説明において、回転軸３を回る方向を周方向とし（図２に矢印で示す）、回転軸３に平行な方向を軸方向とし、回転軸３に対する半径方向を径方向とし、周方向の位置を周方向位置とする。本発明の説明において、あるパラメータの「分布が非対称或いは非軸対称」であるとは、周方向位置における該パラメータの分布が非軸対称であり、該パラメータが周方向に均一でないことを意味する。
【００２４】
図１に示すように、本発明の実施形態による遠心圧縮機は、渦巻ケーシング１と、羽根車２と、羽根なしディフューザ４とを含む。渦巻ケーシング１は、互いに結合されている第１ケーシング部１１と第２ケーシング部１２とを含む。第１ケーシング部１１内に渦巻室（スクロール流路）Ｍが設けられており、かつ、第２ケーシング部１２内に羽根車設置スペースＮが設けられている。羽根車２は、回転軸３の周りを回転可能に羽根車設置スペースＮ内に設けられている。羽根なしディフューザ４の入口４１（図１の下破線部）は第２ケーシング部１２内に連通し、羽根なしディフューザ４の出口４２（図１の上破線部）は第１ケーシング部１１内に連通する。ここで、遠心圧縮機内部の流体の流動の非軸対称性に適応するように、羽根なしディフューザ４の幅の周方向分布は、非軸対称である。
【００２５】
作動中において、羽根車２は回転軸３の周りを回転し、図１の矢印方向に沿って流体を遠心圧縮機内に吸入し、かつ流体の運動エネルギーと圧力を増加させる。流体が羽根車２を離れて羽根なしディフューザ４に進入すると、流体の運動エネルギーが更に圧力エネルギーに変換されることによって、流体の圧力が上昇し、流体は、最後に、羽根なしディフューザ４から流出して渦巻室Ｍ内に進入する。
【００２６】
本発明の実施形態による遠心圧縮機では、羽根なしディフューザ４の幅の周方向分布が、非軸対称になるように設計することによって、遠心圧縮機内部の流体の流れ場の非軸対称性を低下できる。その結果、遠心圧縮機の羽根なしディフューザ４の失速を抑制することによって、遠心圧縮機の安定した作動範囲を拡大できる。
【００２７】
図２に示すように、周方向の初期位置（０°）を仮に設定すると、本発明の説明で述べる周方向角度は、該周方向の初期位置から周方向に沿ってずれる角度である。本発明の説明においては、時計回り方向に沿ってずれるのを例として説明する。すなわち、周方向角度は、回転軸３回りの位相（周方向位置）を示し、０°〜３６０°までの値をとる。
【００２８】
本発明の１つの実施形態において、羽根なしディフューザの入口の気流角度αがその周方向平均値より小さい周方向位置における羽根なしディフューザ４の幅ｂは、気流角度αがその周方向平均値（すなわち、周方向における、気流角度αの平均値）以上である他の周方向位置における幅より小さい。ここで、羽根なしディフューザの入口の気流角度αは、図３に示すように、羽根なしディフューザ４の入口４１の気流速度を回転軸３に垂直な平面に投影した投影速度Ｖと、その周方向位置における接線方向（周方向）との間の夾角として定義される。また、同一の周方向位置で羽根なしディフューザ４の幅ｂは、径方向において大きさが均一である。
【００２９】
上記の実施形態では、ある周方向位置で、羽根なしディフューザの入口の気流角度αと対応する位置における羽根なしディフューザの幅ｂとの間の関係がｔａｎα＝ｃ／ｂであり、ｃは該周方向に対応する１つの定数であるという原理に基づいて設計を行った。
【００３０】
本発明の実施形態による遠心圧縮機では、径方向に関して、第１ケーシング部１１と第２ケーシング部１２との間には、環状キャップ部５と環状ディスク部６が設けられる。羽根なしディフューザ４は、環状キャップ部５と環状ディスク部６との間に設けられた流路として形成される。ここで、第１ケーシング部１１と第２ケーシング部１２と環状キャップ部５とは一体形成され、かつ、環状ディスク部６は、第１ケーシング部１１に着脱可能に取り付けられ、または、径方向に関して、第１ケーシング部１１と第２ケーシング部１２との間に着脱可能に設けられる。
【００３１】
具体的には、従来の遠心圧縮機では、流量が少ない稼働条件で、図４に示すように、渦巻ケーシングの非軸対称性が、羽根なしディフューザの内部の流体の流れ場の非軸対称性を引き起こす。そのため、羽根なしディフューザの入口の気流角度αの周方向における分布が非軸対称性を有する。一般的に、羽根なしディフューザの入口の気流角度αが所定の臨界気流角より小さい場合、羽根なしディフューザは失速を引き起こす可能性があり、流量が更に減少する場合、流体の径方向の運動エネルギーが足りず、逆圧勾配の作用で、流体が逆流して遠心圧縮機のサージ現象が生じる。
【００３２】
そこで、本発明の実施形態による遠心圧縮機では、羽根なしディフューザの幅ｂの周方向分布を非対称に設計する一方で、同一の周方向位置において、径方向で羽根なしディフューザの幅ｂを不変にする。具体的には、羽根なしディフューザの入口の気流角度αが小さい周方向位置で、対応する羽根なしディフューザの幅ｂは小さく設計すべきである。上記周方向位置における羽根なしディフューザの入口の気流角度αと対応する位置における羽根なしディフューザの幅ｂとの関係、即ち、ｔａｎα＝ｃ／ｂは、本来の気流角度αが小さい周方向位置において羽根なしディフューザの幅ｂの値を減少させて、気流角度αを増大させる。
【００３３】
このような周方向の非対称幅の羽根なしディフューザの構成の作用で、本来の羽根なしディフューザの入口の気流角度αの周方向における非軸対称性が弱くなる。これにより、周方向における最小の気流角度αを効果的に増大し、流量が少ない場合の羽根なしディフューザの失速を抑制でき、そのうえ遠心圧縮機の安定した作動範囲を拡大できる。
【００３４】
以下、図２〜図６を参照して本発明の１つの実施形態による遠心圧縮機の形成方法を説明する。該遠心圧縮機の設計は対称遠心圧縮機の原型を改良することで実現され、該対称遠心圧縮機の原型の羽根なしディフューザの幅は周方向に対称（一定）である。
【００３５】
本発明の実施形態の遠心圧縮機の形成方法は、以下のステップを含む。
【００３６】
（１）図２に示すように、周方向の初期位置（０°の位置）を設定する。
【００３７】
（２）図４に示すように、数値シミュレーション又は実験によって、対称遠心圧縮機の原型の羽根なしディフューザ入口における気流角度αｙの周方向における分布を得て、かつ、当該羽根なしディフューザの入口における気流角度αｙの周方向平均値αｙａｖｇを算出する。これと同時に、当該対称遠心圧縮機の原型の羽根なしディフューザが有する幅ｂｙを得る。また、遠心圧縮機の性能テストによって当該対称遠心圧縮機の原型の性能を得る。
【００３８】
ここで、羽根なしディフューザの入口の気流角度αｙは、羽根なしディフューザの入口の気流速度（即ち、３次元ベクトルで表わされる３次元気流速度）を回転軸に垂直な平面に投影した投影速度Ｖ（即ち、当該３次元気流速度を当該平面に垂直投影した速度）と、該当する周方向位置における接線方向（即ち、周方向）との間の夾角として定義される（気流角度α、α１も同様である）。
【００３９】
（３）対称遠心圧縮機の原型の羽根なしディフューザ入口における気流角度αｙがその周方向平均値αｙａｖｇより小さい各周方向位置において、上記実施形態で説明した設計原理、即ちｔａｎα＝ｃ／ｂに基づいて、羽根なしディフューザの幅ｂｙを適切に減少させて該周方向位置における第１幅ｂ１を得る。
同様に、対称遠心圧縮機の原型の羽根なしディフューザ入口における気流角度αｙがその周方向平均値αｙａｖｇより大きい各周方向位置において、ｔａｎα＝ｃ／ｂに基づいて、羽根なしディフューザの幅ｂｙを適切に増大させて該周方向位置における第１幅ｂ１を得る。
このような第１幅ｂ１の設定において、第１幅ｂ１の周方向平均値ｂ１ｙが、対称遠心圧縮機の原型の羽根なしディフューザの幅ｂｙと同じ値、または、当該幅ｂｙの近傍の値になるようにする。
【００４０】
その結果、第１遠心圧縮機の羽根なしディフューザ（以下、第１羽根なしディフューザという）の第１幅ｂ１の周方向における分布が得られる。また、第１幅ｂ１の周方向平均値ｂ１ｙと、対称遠心圧縮機の原型の羽根なしディフューザの幅ｂｙとをほぼ等しくすることによって、第１遠心圧縮機の各性能の安定を保証する。
【００４１】
（４）ステップ（３）の第１幅ｂ１（即ち、第１幅ｂ１の周方向分布）の結果に基づいて、数値シミュレーション又は実験によって、第１遠心圧縮機の第１羽根なしディフューザの入口の気流角度α１の周方向における分布を得て、かつ、第１羽根なしディフューザの入口の気流角度α１の周方向平均値α１ａｖｇを算出し、かつ、遠心圧縮機の性能テストによって第１遠心圧縮機の性能を得て、得られた第１遠心圧縮機の性能とステップ（２）で得られた対称遠心圧縮機の原型との性能を比較する。
【００４２】
（５）ステップ（４）の第１羽根なしディフューザの入口の気流角度α１の周方向における分布に基づいて、第１羽根なしディフューザの入口の気流角度α１がその周方向平均値α１ａｖｇより小さい各周方向位置において、第１羽根なしディフューザの第１幅ｂ１を適切に減少させて該周方向位置における第２幅ｂ２を得る。
同様に、第１羽根なしディフューザの入口の気流角度α１がその周方向平均値α１ａｖｇより大きい各周方向位置において、第１羽根なしディフューザの第１幅ｂ１を適切に増大させて該周方向位置における第２幅ｂ２を得る。
このような第２幅ｂ２の設定において、第２幅ｂ２の周方向平均値ｂ２ｙが、対称遠心圧縮機の原型の羽根なしディフューザの幅ｂｙと同じ値、または、当該幅ｂｙの近傍の値になるようにする。
【００４３】
これによって、第２遠心圧縮機の羽根なしディフューザの第２幅ｂ２の周方向における分布を得る。また、第２幅ｂ２の周方向平均値ｂ２ｙと、対称遠心圧縮機の原型の羽根なしディフューザの幅ｂｙとをほぼ等しくすることによって、第２遠心圧縮機の各性能の安定を保証する。
【００４４】
（６）第１羽根なしディフューザの入口の前記気流角度α１の周方向における最小値αｍｉｎが所定の臨界気流角より大きくなるディフューザの幅ｂの周方向分布が得られるまで、ステップ（４）とステップ（５）を繰り返して、羽根なしディフューザの幅に対して修正を繰り返すとともに、遠心圧縮機の性能テストによって対応する新たに修正された遠心圧縮機の性能を得て、かつ、ステップ（２）で得られた対称遠心圧縮機の原型の性能と比較し続け、上記の毎回の修正により、遠心圧縮機の性能に対してプラス効果が得られることを確認する。
なお、ステップ（４）とステップ（５）の繰り返しにおいて、ステップ（４）は、上述の第１幅ｂ１の周方向分布に基づいて行われる代わりに、直前のステップ（５）で得た第２幅ｂ２の周方向分布に基づいて行われる。
【００４５】
ここで、前記所定の臨界気流角は、異なるタイプの遠心圧縮機に応じて具体的に定められる。
【００４６】
（７）ステップ（６）で得られた、図５に示す羽根なしディフューザ４の幅ｂの周方向分布に基づいて、最終的に最適化した遠心圧縮機を得る。該遠心圧縮機の性能は最適化されている。
【００４７】
なお、上記実施形態の遠心圧縮機及びその形成方法は、一つのタイプの対称遠心圧縮機の原型に基づいているが、これに限られるものではない。本技術分野の一般的な当業者であれば、異なるタイプの対称遠心圧縮機の原型に基づいて、相応する異なるタイプの羽根なしディフューザの幅ｂが非軸対称である遠心圧縮機が得られるものと理解できる。上記原理と同一又は類似の方法を用いて、対称遠心圧縮機の原型を改良して得られた遠心圧縮機及びその形成方法は、いずれも本発明の保護範囲内に含まれる。
【００４８】
図６は、遠心圧縮機の性能テストによって得られた本発明の実施形態による遠心圧縮機と、それに相応する従来の対称遠心圧縮機の原型との性能比較を示す。ここで、本発明の実施形態による遠心圧縮機は非軸対称の羽根なしディフューザを採用し、対称遠心圧縮機の原型は従来の対称羽根なしディフューザを採用している。図６において、三角形マークのデータは、本発明の実施形態による遠心圧縮機の性能特性を示し、正方形マークのデータは、従来の対称羽根なしディフューザを採用した遠心圧縮機の性能特性を示す。図６において、横軸は、遠心圧縮機の吸入流量を、基準流量で無次元した修正流量を示し、縦軸は、圧力比を示す。図６から分かるように、本発明の実施形態による遠心圧縮機では、より広い安定した作動範囲が得られ、少ない流量でも減速効果が得られる。
【００４９】
本発明の実施形態による遠心圧縮機の他の構成及び動作は、本技術分野の一般的な当業者にとってはすべて公知のものであり、ここでは詳細な説明は省略する。本明細書の説明において、参考用語の「１つの実施形態」、「一部の実施形態」、「概念的実施形態」、「例示」、「具体的な例示」或いは「一部の例示」等の説明は、該実施形態又は例示で説明した具体的な特徴、構成、材料又は特性を示し、少なくとも本発明の１つの実施形態又は例示に含まれていることを意味する。本明細書において、上記用語は、必ずしも同じ実施形態又は例示を示すものではない。また、説明した具体的な特徴、構成、材料又は特性は、いずれかの１つ又は複数の実施形態又は例示において適切な形態で組み合わされてよい。
【００５０】
以上、本発明について説明したが、本技術分野の当業者は、本発明の原理及び技術的思想を逸脱しない範囲で、上述の実施形態に対して様々な変化、変更、置換え及び変形を行ってもよい。本発明の範囲は、特許請求の範囲とその均等物によって定められる。
【符号の説明】
【００５１】
１  渦巻ケーシング、２  羽根車、３  回転軸、４  羽根なしディフューザ、５  環状キャップ部、６  環状ディスク部、１１  第１ケーシング部、１２  第２ケーシング部、４１  羽根なしディフューザの入口、４２  羽根なしディフューザの出口
【図１】
2012128277.tif 000003
【図２】
2012128277.tif 000004
【図３】
2012128277.tif 000005
【図４】
2012128277.tif 000006
【図５】
2012128277.tif 000007
【図６】
2012128277.tif 000008
【国際調査報告】
2012128277.tif 000009
2012128277.tif 000010
2012128277.tif 000011
2012128277.tif 000012